(57)【特許請求の範囲】
【請求項１】
a) 外箱（１）と、その中に収納される中段台（２）と、中段台（２）を仕切る仕切板（３）とから成り、
b) 外箱（１）は真上から見て矩形の箱であり、前板（４）の両側に側板（６）が設けられ、側板（６）の天縁は四十度程度で前傾し、背部に背板（７）が設けられ、背板（７）の天領域は商品を演出するためのＰＲ面（８）として天方へ突出し、
c) 中段台（２）は、外箱（１）の前板（４）の天縁において外箱（１）と連結され、その連結箇所から背方に設けられた前堤板（９）と、谷折り線を介して設けられた低床板（１０）と、谷折り線を介して設けられた中板（１１）と、山折り線を介して設けられた中堤板（１２）と、谷折り線を介して設けられた高床板（１３）と、高床板（１３）の両側へ山折り線を介して設けられた、高床板（１３）を保持する為の側フラップ（１４）と、高床板（１３）の背縁に設けられた背フラップとから成り、
d) 背フラップは横へ三等分され、両側は折り垂らして同じく高床板（１３）を保持する為の側背フラップ（１５）として用いられ、中央の背フラップは折り起こして中背板（５）として用いられ、
e) 中板（１１）の天領域と中堤板（１２）とは重合して接着され、この重合域（１６）を横 へ三等分する間隔で上からの切込みを入れて係止溝（１７）とし、
f) 仕切板（３）は、その中央の接着域（１８）が前記中背板（５）に接着され、両側の領域が仕切面（１９）として正面へ折り曲げられ、その仕切面（１９）の前領域は中段台（２）の段差に応じて段差域（２０）として垂れ下がっており、
段差域（２０）の天角から上を係止溝（１７）へ差し込むことにより形成される仕切一体型陳列台。
【発明の詳細な説明】
【０００１】
【発明の属する技術分野】
本発明は、仕切りを設けた陳列台に関する。
【０００２】
【従来の技術】
従来の仕切りを設けた陳列台は、仕切部分及び段台部分を分離した状態で設けており、十字に組み込む事によって組立てていた。
【０００３】
【発明が解決しようとする課題】
従来の物では仕切りと段台部分が分離していた事から紛失する恐れがあり、使用中に抜け落ちたり、グラグラするなどの欠点があった。本発明では、従来の欠点の解決を目的とする。
【０００４】
【課題を解決するための手段】
上記目的を解決する為に、外箱の中へ前板から連結した中段台を収納し、中段台は中央を横切る中板によって前後の室に分離され、前室に対して後室の床は高く、この高さを保持する為に側フラップと背フラップを垂らし、背フラップは横方向へ三等分され、三等分された内の中央は中背板として折り起こし、仕切板中央の接着域と接着する事によって仕切板を接着し、中板の天領域は中堤板と重合して、この重合域へ上から切込みを入れて係止溝を設け、この係止溝へ仕切板の前出し部分である仕切面を差し込んで固定する。
【０００５】
【発明の実施の形態】
組立の途中で示した斜視図の図１に於いて、外箱１の中へ収納する中段台２は、前板４の天縁へ山折り線を介して連なっており、中段台２を横へ仕切る仕切板３は中段台２の中背板５へ仕切板３中央の接着域１８を接着して一体化し、中段台２は中央を横切る中板１１によって、前室２１と後室２２とに区分し、中板１１の天領域は背部の中堤板１２との重合によって重合域１６を形成し、重合域１６を横へ三等分する上からの切込みで係止溝１７を設け、係止溝１７へ仕切板３の前出し部分である仕切面１９を差し込んで固定するのであり、
外箱１に於いて、真上から見ると横長矩形の上空き箱であり、正面を前板４と称し、背面を背板７と称し、両側面を側板６と称し、側板６の天縁は四十度程度の角度を成して前傾し、背板７の天領域は天方へ大きく突出して、この突出領域をＰＲ面８と称し、
中段台２に於いて、正面箇所から順示すると、前板４と同形で前堤板９を設け、谷折り線を介して低床板１０を設け、谷折り線を介して中板１１を設け、山折り線を介して中堤板１２を設け、谷折り線を介して高床板１３を設け、山折り線を介して背フラップ２３を設け、背フラップ２３は横へ三等分され、中央は折り上げて中背板５として設け、仕切板３を接着する箇所と成り、両側は側背フラップ１５として設け、高床板１３の両側へ山折り線を介して側フラップ１４を設け、側背フラップ１５と側フラップ１４とを折り下げる事によって高床板１３を任意の高さで保持できる事と成り、
仕切板３に於いて、真上から見ると両側を正面方向へ折出したコの字形状を成し、中央は中背板５と接着して一体化する為の接着域１８であり、前出し面は中段台２を横へ仕切る為の仕切面１９であり、仕切面１９は中段台２の段差に添わせて段差域２０を設け、段差域２０から上の領域を係止溝１７へ差し込んで、仕切面１９を係止固定する。
【０００６】
組立途中で上方から示した斜視図の図２に於いて、中段台２と仕切板３との接着による一体化は背フラップ２３を介して行い、背フラップ２３を二箇所の平行な切込みによって三等分し、両側は折垂らす為の側背フラップ１５であり、中央は折り上げて中背板５として設け、中背板５の表面へ仕切板３を接着して一体化する。
【０００７】
係止溝へ仕切面を組み込んで示した斜視図の図３に於いて、仕切板３の背部は接着域１８が接着している事によって固定されており、前に出た仕切面１９の中央は係止溝１７へ係止されて固定し、段差域２０を設けた事によって、中板１１の正面へ仕切面１９を添わせる事ができ、係止溝１７へ仕切面１９を差し込んで固定した中段台２をそのまま下へスライドする事によって、外箱１の中へ収納する。
【０００８】
組立完了の状態で示した斜視図の図４に於いて、中段台２の中板１１によって前室２１と後室２２とに区分され、低床板１０と高床板１３の高さが事なる事から雛段状に陳列でき、仕切面１９によって前室２１と後室２２のそれぞれを横方向へ区分でき、陳列商品を区分した状態で陳列でき、背板７の天領域を天方向へ大きく突出し、天縁２５を正面方向へ折返して重合させて印刷面を正面へ向けて、ＰＲ面８を設ける。
【０００９】
底方向から示した斜視図の図５に於いて、外箱１の底２４の形状は従来技術を利用するのであって、矩形底の対角を折り曲げる事によって底面の中央の引っ掛かりが自然に外れ、上へ折上がって平行四辺形に折り畳まれる。
【００１０】
平にした状態で示した斜視図の図６に於いて、本発明物を平にするには、係止溝１７の係止を外し、中段台２の折線を伸ばし、図５で示した底２４中央の引っ掛かりを外す事によって楽に行う事ができ、外箱１・中段台２・仕切板３の三つが一体化しているので紛失の恐れが無く、組立が簡単でグラ付きが少ない。
【００１１】
【発明の効果】
仕切板は接着域が中背板と接着して中段台と一体化しており、中段台は前板の天縁を介して連結しているので外箱１と一体化しており、紛失の恐れが無く、係止溝によって仕切面の中央が係止固定されているので、グラ付きが少ない。
【図面の簡単な説明】
【図１】組立の途中で示した斜視図
【図２】組立途中で上方から示した斜視図
【図３】係止溝へ仕切面を組み込んで示した斜視図
【図４】組立完了の状態で示した斜視図
【図５】底方向から示した斜視図
【図６】平にした状態で示した斜視図
【符号の説明】
１  外箱
２  中段台
３  仕切板
４  前板
５  中背板
11  中板
12  中堤板
13  高床板
14  側フラップ
15  側背フラップ
16  重合域
17  係止溝
19  仕切面
20  段差域
【図１】
0003842846.tif 000002
【図２】
0003842846.tif 000003
【図３】
0003842846.tif 000004
【図４】
0003842846.tif 000005
【図５】
0003842846.tif 000006
【図６】
0003842846.tif 000007